(57)【要約】      （修正有）【課題】施工時の作業性を向上し、シートと支柱との摩擦を少なくしてシートの破れを防止し、支柱からシートが脱落することを防止することができるシート用支柱を提供する。【解決手段】円筒状の支柱１０と、支柱の一端に取り付ける円筒状のアンダーカバーと、円筒状のトップカバーとからなり、トップカバーの側面部に、上下方向のどちらか１方向に開口を持つスリット部が、少なくとも１以上設けられ、トップカバーとアンダーカバーとを固定する固定手段を有するシート用支柱１。【選択図】図１
2020041285.tif 000002
【特許請求の範囲】
【請求項１】
円筒状の支柱と、支柱の一端に取り付ける円筒状のアンダーカバーと、円筒状のトップカバーとからなり、トップカバーの側面部に、上下方向のどちらか１方向に開口を持つスリット部が、少なくとも１以上設けられ、トップカバーとアンダーカバーとを固定する固定手段を有するシート用支柱。
【請求項２】
円筒状の支柱の一端に取り付ける円筒状のアンダーカバーと、円筒状のトップカバーとからなり、トップカバーの側面部に、上下方向のどちらか１方向に開口を持つスリット部が、少なくとも１以上設けられ、トップカバーとアンダーカバーとを固定する固定手段を有するシート固定用治具。
【発明の詳細な説明】
【技術分野】
【０００１】
本発明は、シート用支柱およびシート固定用治具に関し、工事現場、建築現場、変電所、農場、スキー場等に設置される区画シートや掲示シートを固定するためのシート用支柱およびシート固定用治具に関する。
【背景技術】
【０００２】
従来、区画シートや掲示シートの設置手段としては、シートの上端部に通したロープを、適当な間隔で設置した支柱の上端部に縛り付けたり、支柱の係止部材に係止したりしていた。例えば、特許文献１には、支柱の上端部の係止部材にロープを係止する止着が容易な技術が開示されている。しかしながら、シートにロープを予め取り付ける必要があり、シートが大型になると作業時間が長くなる欠点があった。
【０００３】
前述した問題を解決するため、本出願人は、ロープを用いずに支柱に固定可能なシートとして特許文献２や特許文献３を提案している。
特許文献２では、表編地及び裏編地が連結糸により連結された結節部と、表編地及び裏編地が連結糸により連結されない非結節部からなり、表編地及び裏編地の幅方向に平行となる向きで配された筒状体を有するネットを提案している。
【０００４】
また、特許文献３では、二重織物からなり、表層及び裏層を結合させる結節部が緯糸方向に平行となる向きで配された複数の結節列を有し、緯糸方向における端部の一方を結合させた区画用シートを提案している。
【０００５】
しかしながら、特許文献２及び３のような区画シートを支柱に直接取り付けた場合、風等で揺れるたびに支柱とシートとが摩擦を繰り返すことになり、支柱の端部のバリや砂などの付着物がシートと摩擦することで、支柱を覆うように取り付けられていたシートの鞘状の部分が破れてしまい、シートが脱落する欠点があった。
【先行技術文献】
【特許文献】
【０００６】
【特許文献１】特開２００６−１４４２８４号公報
【特許文献２】特開２０１７−１１５４８６号公報
【特許文献３】特開２０１７−１９７８７８号公報
【発明の概要】
【発明が解決しようとする課題】
【０００７】
本発明は、前述した課題を解決するものであり、施工時の作業性を向上し、シートと支柱との摩擦を少なくしてシートの破れを防止し、支柱からシートが脱落することを防止することができるシート用支柱を提供することを目的とする。
【課題を解決するための手段】
【０００８】
すなわち、本発明のシート用支柱は、円柱状の支柱と、支柱の一端に取り付ける円筒状のアンダーカバーと、円筒状のトップカバーとからなり、トップカバーの側面部に、上下方向のどちらか１方向に開口を持つスリット部が、少なくとも１以上設けられ、トップカバーとアンダーカバーとを固定する固定手段を有するシート用支柱である。
【０００９】
また、本発明のシート固定用治具は、円柱状の支柱の一端に取り付ける円筒状のアンダーカバーと、円筒状のトップカバーとからなり、トップカバーの側面部に、上下方向のどちらか１方向に開口を持つスリット部が、少なくとも１以上設けられ、トップカバーとアンダーカバーとを固定する固定手段を有するシート固定用治具である。
【発明の効果】
【００１０】
本発明によれば、施工時の作業性を向上し、シートと支柱との摩擦を少なくしてシートの破れを防止し、支柱からシートが脱落することを防止することができる。
【図面の簡単な説明】
【００１１】
【図１】本発明のシート用支柱を用いた施工形態の一例を示す模式図である。
【図２】本発明のシート用支柱の上端部にアンダーカバーを取り付けたときの斜視図である。
【図３】本発明に用いられるトップカバーの一例を示す斜視図である。
【図４】本発明に用いられるトップカバーのスリット部の端部形状の例を示す斜視図である。
【図５】本発明のシート用支柱にシートを取り付け態様の一例であり、（ａ）支柱の上端部にアンダーカバーを取り付けたとき、（ｂ）トップカバーを取り付けたときの斜視図である。
【図６】本発明のシート固定用治具の固定手段の例を示す断面図である。
【図７】本発明のシート用支柱にシートを挿入したときの態様の例であり、（ａ）スリット部が１か所の場合、（ｂ）スリット部が３か所の場合を示す斜視図である。
【発明を実施するための形態】
【００１２】
以下、本発明の実施形態について説明する。ただし、本発明は、以下の構成に限定されることを意図しない。
【００１３】
本発明のシート用支柱は、円柱状の支柱と、支柱の一端に取り付ける円筒状のアンダーカバーと、円筒状のトップカバーとからなり、トップカバーの側面部に、上下方向のどちらか１方向に開口を持つスリット部が、少なくとも１以上設けられ、トップカバーとアンダーカバーとを固定する固定手段を有する。
【００１４】
図１に本発明のシート用支柱１を用いた施工形態の一例を示している。シート用支柱１は、支柱（ポール）１０、および、支柱１０の上端部に取り付けられるアンダーカバー２（図２参照）と、アンダーカバー２の上から取り付けられるトップカバー４（図３参照）とからなる治具から構成されている。
【００１５】
支柱１０は、金属製の円筒状のパイプからなり、その下端部が土壌やアスファルト等の地面に埋設して立設される。支柱１０の下端部を板材に固定し、地面に載置して用いても構わない。支柱１０の素材としては、金属以外であってもよく、例えば、強度強化樹脂、再生ゴム、木材、竹などを用いることもできる。
【００１６】
アンダーカバー２は、図２のように支柱１０の上端部に取り付けて用いられ、円筒状であればよく、無底円筒状でも、一方向に開口する有底円筒状でもよい。アンダーカバー２の内径は、支柱１０の外径より大きく設定される。
【００１７】
アンダーカバー２の上端部、すなわち、支柱１０に取り付けたときの上方向の端部の外周については、角が滑らかであるとよく、角の曲率半径Ｒが０．０１〜１０の範囲にあることが望ましい。Ｒが０．０１より小さいと、取り付けたシート３との摩擦力が大きくなり、シート３が破断してしまう恐れがある。Ｒが１０を超すと、アンダーカバー２の上端部の外周の厚みが薄くなり、穴開きや割れが発生する恐れがある。
アンダーカバー２の厚みは、強度面から０．５ｍｍ以上が望ましい。
【００１８】
トップカバー４は、円筒状であればよく、無底円筒状でも、有底円筒状でもよい。雨や土砂が円筒内に入りにくく、支柱１０の円筒内に雨が溜まったり土砂が堆積したりすることを抑制し、支柱１０の錆びや耐候劣化を防止できる面で有底円筒状が好ましい。
【００１９】
図３に例示するように、トップカバー４には、下方向に開口を持つスリット部５が、側面の少なくとも１箇所以上に設けられている。なお、トップカバー４が、無底円筒状の場合は、スリット部５の開口が上方向であってもよい。
【００２０】
スリット部５の長さは、シート３の形状に合わせ適宜設定できるが、強度面から、トップカバー４の長さより３ｍｍ以上短いことが望ましい。スリット部５の幅は、シート３の厚さに合わせ適宜設定できるが、シート３の嵌め込みやすさの面から０．５ｍｍ以上であることが望ましい。
【００２１】
スリット部５の開口部片端または両端のシート３が当接する箇所に、図４に示すような凸部６を設けてもよい。これにより、シート３を嵌め込んだ後、シート３が外れにくくなる。凸部６は、スリット部５の開口部端部に設けられ、図４（ａ）のように１つでも、図４（ｂ）のように２つでもよく、凸部６の高さは例えば０．５ｍｍ以下である。
【００２２】
トップカバー４の内径は、アンダーカバー２の外径より大きく設定され、具体的には、アンダーカバー２の外径より０．５ｍｍ以上であると施工しやすい。トップカバー４の厚みは、強度面から０．５ｍｍ以上が望ましい。
【００２３】
また、トップカバー４とアンダーカバー２には、図６に例示するように、互いに固定する固定手段を有している。なお、固定状態を分かりやすくするため、治具内部等の見えない部分も図示している。
固定手段としては、図６に示すような形態が挙げられる。図６（ａ）に示すように、アンダーカバー２とトップカバー４の側面をトップカバー４の長さが長くなるようにし、トップカバー４の下端部に凸部（例えば高さ１．５ｍｍ程度）の固定部７を設けることでアンダーカバー２とトップカバー４を嵌め込み固定させる方法がある。この方法の場合、トップカバー４の長さはアンダーカバー２の長さよりも５ｍｍ以上長く設定するとよい。また、図６（ｂ）に示すように、アンダーカバー２の外面下部とトップカバー４の内面下部とに互いにかみ合う山型凹凸の固定部７を設け、アンダーカバー２とトップカバー４とを固定させる方法もある。さらに、図６（ｃ）に示すように、トップカバー４に円形凸部を、アンダーカバー２に円形窪み部をかみ合うよう設けて、固定部７とすることもでき、トップカバー４の円形凸部がアンダーカバー２の円形窪み部に嵌めることで、アンダーカバー２とトップカバー４を固定させることができる。固定部７の凹凸を逆にしてもよい。また、図６（ｄ）に示すように、撓む素材で作製したトップカバー４の下端部の内径をアンダーカバー内径と近似とし、下端部を点線で示すように押し広げて嵌め込めば、トップカバー下端部の締め付け力にてアンダーカバー２とトップカバー４を固定させることもできる。なお、図６（ｄ）は、アンダーカバー２へのトップカバー４の嵌め込み前と嵌め込み後の状態を図示している。
【００２４】
トップカバー４に設けられたスリット部５は、シート３を差し込むためのものである。図５（ａ）に示すように、スリット部５が２か所の場合は、支柱１０に取り付けたアンダーカバー２にシート３の端部を当接したのち、図５（ｂ）に示すように、２か所のスリット部５にシート３の端部を差し込み、トップカバー４をアンダーカバー２に固定する。スリット部５が１か所の場合は、図７（ａ）に示すように、支柱１０に取り付けたアンダーカバー２にシート３を当接して１周回し、２枚のシート３をスリット部５に差し込むようにトップカバー４を取り付ける。図７（ｂ）に示すように、スリット部５が３か所以上の場合も、同様にシート３をスリット部５に差し込むようにトップカバー４を取り付けることができる。スリット部５が３か所以上であれば、２枚以上のシート３を設置することも容易になり、区画形状のバリエーションを増やすことができる。なお、形状が分かりやすくするため、治具内部等の見えない部分も図示している。
【００２５】
固定用治具、すなわち、アンダーカバー２とトップカバー４の素材は、アクリロニトリル−ブタジエン−スチレン共重合体（ＡＢＳ樹脂）、アクリロニトリル−エチレンプロピレン系ゴム−スチレン共重合体（ＡＥＳ樹脂）、アクリロニトリル−塩素化ポリスチレン共重合体（ＡＣＳ樹脂）、ポリプロピレン（ＰＰ）、ポリエチレン（ＰＥ）、塩化ビニル（ＰＶＣ）などのプラスチック、ポリカーボネート（ＰＣ）、ポリアセタール（ＰＯＭ）などのエンジニアリングプラスチック、ポリフェニレンサルファイト（ＰＰＳ）、ポリテトラフロロエチレン（ＰＴＦＥ）などのスーパーエンジニアリングプラスチック、鉄、アルミニウム、チタン、ステンレスなどの金属が挙げられるが容易に大量生産が可能で、軽くて強く、透明化や着色も可能で、電気的絶縁性や断熱性、衛生的にも優れており、成形の容易性および施工作業時の安全性の観点からプラスチック、エンジニアリングプラスチック、スーパーエンジニアリングプラスチックが好ましい。なお、これらのプラスチックの成形方法としては、射出成形，圧縮成形，真空成形，ブロー成形などの方法が挙げられる。
【００２６】
シート３としては、不織布、織物、編物が挙げられ、その素材としては、強度及び耐久性の観点から合成繊維が好適に用いられる。
【００２７】
シート３は、複数の貫通した開口部を有すると良く、これにより、スリット部５に差し込みやすく、シートが強風より受ける応力を緩和し、シートが破れたり、外れたりして周囲に吹き飛んで発生する風圧事故や倒壊を防ぐことができる。開口部は、打ち抜き、パンチング等の公知の方法によって設けることができる。開口部の最長径は、５ｍｍ以上であることが好ましい。５ｍｍ以上あるとトップカバー４の凸部とアンダーカバー２の凹部が強固に嵌り、シート３が外れにくくなる。
【００２８】
開口部の形状としては、特に限定されるものではなく、円形、楕円形、卵形、俵形、角丸四角形、多角形、星形等が挙げられる。なかでも、円形、楕円形、卵形、俵形、角丸四角形には角が存在しないことにより、応力が一点に集中する事がないため、開口部における耐裂性に優れる。また、メッシュ織、メッシュ編によるメッシュ素材を用いれば、開口部を形成する工程を要することなく、全体に開口部を有するシートとなり、メッシュの空隙部を通して固定部７を固定できるため好ましい。
【００２９】
シート３の厚みは、０．３〜１．５ｍｍの範囲が良く、０．３ｍｍ以上であれば、裂けにくく、１．５ｍｍ以下であれば、スリット５への差し込みが容易となる。
【００３０】
本実施形態では、シート３そのものをアンダーカバー２とトップカバー４の間に嵌め込む例を説明したが、シート３の上端に紐状物または金属製や樹脂製の輪状物を設けて、これらをアンダーカバー２とトップカバー４の間に嵌め込み、スリット部５に差し込んで固定してもよい。
【符号の説明】
【００３１】
１    シート用支柱
２    アンダーカバー
３    シート
４    トップカバー
５    スリット部
６    凸部
７    固定部
１０  支柱（ポール）
【図１】
2020041285.tif 000003
【図２】
2020041285.tif 000004
【図３】
2020041285.tif 000005
【図４】
2020041285.tif 000006
【図５】
2020041285.tif 000007
【図６】
2020041285.tif 000008
【図７】
2020041285.tif 000009